(57)【要約】【課題】  商品等の生産情報と流通経路を一括管理し、商品等に関する情報の閲覧が容易で、商品等の品質を保証し、食品等の偽造を防止し、大量に流通する商品を対象とする場合でも、容易に導入可能な追跡システム等を提供する。【解決手段】  追跡対象に装着される無線式ＩＣタグ１１０〜４１０と、無線ネットワークを介して無線式ＩＣタグと通信可能で、無線式ＩＣタグに関連づける情報が入力され、入力された情報を無線式ＩＣタグに送信して記録させるタグ登録装置１１、２１と、ネットワークを介してタグ登録装置と通信可能で、タグ登録装置から送信された無線式ＩＣタグに関連づける情報を受信して記録するタグ管理装置５１と、無線ネットワーク及びネットワークを介して無線式ＩＣタグと通信可能で、無線式ＩＣタグの位置情報を取得し、タグ管理装置に送信して記録させる位置情報取得装置５２とを備える追跡システム等。【選択図】  図１
2005301556.tif 000002
【特許請求の範囲】
【請求項１】
追跡対象に装着される無線式ＩＣタグと、
無線ネットワークを介して前記無線式ＩＣタグと通信可能で、前記無線式ＩＣタグに関連づける情報が入力され、該入力された情報を前記無線式ＩＣタグに送信して記録させるタグ登録装置と、
ネットワークを介して前記タグ登録装置と通信可能で、前記タグ登録装置から送信された前記無線式ＩＣタグに関連づける情報を受信して記録するタグ管理装置と、
前記無線ネットワーク及び前記ネットワークを介して前記無線式ＩＣタグと通信可能で、前記無線式ＩＣタグの位置情報を取得し、前記タグ管理装置に送信して記録させる位置情報取得装置とを備えることを特徴とする追跡システム。
【請求項２】
前記ネットワークを介して前記タグ登録装置と通信可能で、前記タグ管理装置に記録された無線式ＩＣタグに関連づけた情報を読み取るタグ読取装置を備えることを特徴とする請求項１に記載の追跡システム。
【請求項３】
前記タグ読取装置で読み取られた無線式ＩＣタグに関連づける情報をラベルに印字するラベル発行装置を備えることを特徴とする請求項２に記載の追跡システム。
【請求項４】
前記無線式ＩＣタグ、前記タグ登録装置、前記タグ管理装置、前記位置情報取得装置、前記タグ読取装置、及び前記ラベル発行装置の少なくとも２つの装置は、インターネットプロトコルバージョン６のプロトコルを介して互いに通信可能であることを特徴とする請求項１、２または３に記載の追跡システム。
【請求項５】
追跡対象に装着される無線式ＩＣタグであって、
モバイルインターネットプロトコルバージョン６の通信機能と、
読み書き可能な記憶手段とを備えることを特徴とする 無線式ＩＣタグ。
【請求項６】
無線ネットワークを介して無線式ＩＣタグと通信可能で、前記無線式ＩＣタグに関連づける情報が入力され、該入力された情報を前記無線式ＩＣタグに送信して記録するタグ登録装置であって、インターネットプロトコルバージョン６の通信機能を備えることを特徴とするタグ登録装置。
【請求項７】
ネットワークを介して送信された無線式ＩＣタグに関連づける情報を受信して記録するタグ管理装置であって、インターネットプロトコルバージョン６の通信機能を備えることを特徴とするタグ登録装置。
【請求項８】
無線式ＩＣタグと通信可能で、該無線式ＩＣタグの位置情報を取得する位置情報取得装置であって、インターネットプロトコルバージョン６の通信機能と、モバイルインターネットプロトコルバージョン６のホームエージェント機能とを備えることを特徴とする位置情報取得装置。
【請求項９】
無線式ＩＣタグを追跡対象に装着し、
無線ネットワークを介して前記無線式ＩＣタグと通信可能なタグ登録装置に、前記無線式ＩＣタグに関連づける情報を入力し、該入力された情報を前記無線式ＩＣタグに送信して記録し、
ネットワークを介して前記タグ登録装置と通信可能なタグ管理装置によって、前記タグ登録装置から送信された前記無線式ＩＣタグに関連づける情報を受信して記録し、
前記無線ネットワーク及び前記ネットワークを介して前記無線式ＩＣタグと通信可能な位置情報取得装置によって、前記無線式ＩＣタグの位置情報を取得し、前記タグ管理装置に送信して記録させることを特徴とする追跡方法。
【請求項１０】
無線式ＩＣタグを装着した追跡対象を複数に分割した際に、分割した新たな追跡対象の各々に新たな無線式ＩＣタグを装着し、
前記タグ登録装置に前記新たな無線式ＩＣタグの各々に関連づける情報を入力し、該入力された情報を前記新たな無線式ＩＣタグの各々に送信して記録し、
前記タグ管理装置によって、前記タグ登録装置から送信された前記無線式ＩＣタグの各々に関連づける情報を受信して記録し、
前記位置情報取得装置によって、前記無線式ＩＣタグの各々の位置情報を取得し、前記タグ管理装置に送信して記録させることを特徴とする請求項９に記載の追跡方法。
【請求項１１】
前記タグ管理装置によって、該タグ管理装置に記録された情報と、前記無線式ＩＣタグに記録された情報とを比較し、両情報が相違する場合には、前記無線式ＩＣタグに記録された情報が改竄されたと判断し、該タグ管理装置に記録された情報を該無線式ＩＣタグに記録することを特徴とする請求項９または１０に記載の追跡方法。
【発明の詳細な説明】
【技術分野】
【０００１】
本発明は、追跡システム及び追跡方法に関し、特に、電子タグを用い、商品等の生産情報と流通経路の管理を一括して行う追跡システム及び追跡方法に関する。
【背景技術】
【０００２】
従来、店舗で販売される食品及びその他の商品等について、紙ラベルを表示したり、電子タグを添付するなどして消費者への情報開示を行い、その一方で、流通経路で種々のデータを入力して流通経路の管理を行っていた。また、流通経路における経路情報の入力や、商品等のブランド表示タグなどは、人手による管理が主であった。
【０００３】
また、特許文献１には、ＩＣタグを利用した物品管理システムとして、物品に取り付けられ、物品に関する情報を含む物品識別標識を、物品の移動を監視するための盗難防止タグ部分と、物品の個別識別を行うために無線通信により情報の読み出し及び書き込みが可能なＲＦタグ部分とで構成した技術が提案されている。
【０００４】
さらに、特許文献２には、食料品の出荷後、その食料品の原材料等に関する情報、及び衛生管理データ等をインターネットを介して容易に検索して参照することができるように、それらのデータをホームページに登録し、アドレスをＩＣタグに記録させたり、コード化してコードラベルに印刷するなどして食料品等に取り付けて出荷するようにした情報の提供方法が開示されている。
【０００５】
【特許文献１】特開２００３−１４１６５０号公報
【特許文献２】特開２００３−１５０８５３号公報
【発明の開示】
【発明が解決しようとする課題】
【０００６】
しかし、上記従来の技術においては、人手による処理が多いため、悪意がある場合はもちろん、悪意がない場合においても、人手を介した処理にはデータの誤入力等が付きものであり、消費者に間違った情報を提供する可能性があった。また、紙ラベル及び電子タグ自身に情報の改竄に対する充分な機能がないという問題があった。特に、紙ラベルについては、同一のラベルを発行することが比較的容易であるため、同一のラベルが使用された場合に、その事実をチェックし、どちらが偽物であるかをチェックすることが困難であるという問題があった。
【０００７】
これに加え、電子タグを使った追跡システムでは、電子タグとの通信を行うため、専用の通信アンテナや、電子タグと通信するための専用のリーダライタ等が必要になり、システムの導入が困難であるという問題があった。
【０００８】
そこで、本発明は、上記従来の技術における問題点に鑑みてなされたものであって、商品等の生産情報と流通経路の管理を一括して行い、商品等に関する情報を容易に閲覧することができ、商品等の品質を保証し、近年問題になっている食品等の偽造を防止するとともに、大量に流通する商品等を追跡するにあたって、容易に導入することのできる追跡システム及び追跡方法を提供することを目的とする。
【課題を解決するための手段】
【０００９】
上記目的を達成するため、本発明は、追跡システムであって、追跡対象に装着される無線式ＩＣタグと、無線ネットワークを介して前記無線式ＩＣタグと通信可能で、前記無線式ＩＣタグに関連づける情報が入力され、該入力された情報を前記無線式ＩＣタグに送信して記録させるタグ登録装置と、ネットワークを介して前記タグ登録装置と通信可能で、前記タグ登録装置から送信された前記無線式ＩＣタグに関連づける情報を受信して記録するタグ管理装置と、前記無線ネットワーク及び前記ネットワークを介して前記無線式ＩＣタグと通信可能で、前記無線式ＩＣタグの位置情報を取得し、前記タグ管理装置に送信して記録させる位置情報取得装置とを備えることを特徴とする。
【００１０】
そして、本発明によれば、位置情報取得装置によって、無線式ＩＣタグの位置情報を取得し、タグ管理装置に送信して記録させることができるため、容易に商品等の情報を追跡・閲覧することができる。
【００１１】
前記追跡システムにおいて、前記ネットワークを介して前記タグ登録装置と通信可能で、前記タグ管理装置に記録された無線式ＩＣタグに関連づけた情報を読み取るタグ読取装置を備えるように構成することができる。これによって、追跡対象に装着された無線式ＩＣタグに記録された情報を容易に読み出すことができる。
【００１２】
前記追跡システムにおいて、前記タグ読取装置で読み取られた無線式ＩＣタグに関連づける情報をラベルに印字するラベル発行装置を備えるように構成することができる。これによって、追跡対象に装着された無線式ＩＣタグに加え、記録された情報をラベルに表示して追跡対象に装着することにより、記録された情報を直接目で読み取ることができる。
【００１３】
前記追跡システムにおいて、前記無線式ＩＣタグ、前記タグ登録装置、前記タグ管理装置、前記位置情報取得装置、前記タグ読取装置、及び前記ラベル発行装置の少なくとも２つの装置は、インターネットプロトコルバージョン６のプロトコルを介して互いに通信可能とすることができる。
【００１４】
本発明によれば、インターネットプロトコルバージョン６の有する多量のＩＰアドレスを用いて通信することが可能になり、大量に流通する商品等を追跡することができる。また、通信網に既存のＩＰネットワークが流用可能であるため、専用の通信網を構築する必要がなく、容易に追跡システムを導入することが可能となる。
【００１５】
また、本発明は、追跡対象に装着される無線式ＩＣタグであって、モバイルインターネットプロトコルバージョン６の通信機能と、読み書き可能な記憶手段とを備えることを特徴とする。これによって、上記特徴を備えた追跡システムを構成することができる。
【００１６】
無線ネットワークを介して無線式ＩＣタグと通信可能で、前記無線式ＩＣタグに関連づける情報が入力され、該入力された情報を前記無線式ＩＣタグに送信して記録させるタグ登録装置であって、インターネットプロトコルバージョン６の通信機能を備えることを特徴とする。これによって、上記特徴を備えた追跡システムを構成することができる。
【００１７】
ネットワークを介して送信された無線式ＩＣタグに関連づける情報を受信して記録するタグ管理装置であって、インターネットプロトコルバージョン６の通信機能を備えることを特徴とする。これによって、上記特徴を備えた追跡システムを構成することができる。
【００１８】
無線式ＩＣタグと通信可能で、該無線式ＩＣタグの位置情報を取得する位置情報取得装置であって、インターネットプロトコルバージョン６の通信機能と、モバイルインターネットプロトコルバージョン６のホームエージェント機能とを備えることを特徴とする。これによって、上記特徴を備えた追跡システムを構成することができる。
【００１９】
さらに、本発明は、追跡方法であって、無線式ＩＣタグを追跡対象に装着し、無線ネットワークを介して前記無線式ＩＣタグと通信可能なタグ登録装置に、前記無線式ＩＣタグに関連づける情報を入力し、該入力された情報を前記無線式ＩＣタグに送信して記録し、ネットワークを介して前記タグ登録装置と通信可能なタグ管理装置によって、前記タグ登録装置から送信された前記無線式ＩＣタグに関連づける情報を受信して記録し、前記無線ネットワーク及び前記ネットワークを介して前記無線式ＩＣタグと通信可能な位置情報取得装置によって、前記無線式ＩＣタグの位置情報を取得し、前記タグ管理装置に送信して記録させることを特徴とする。これによって、上述のように、容易に商品等の情報を追跡・閲覧することができる。
【００２０】
前記追跡方法において、無線式ＩＣタグを装着した追跡対象を複数に分割した際に、分割した新たな追跡対象の各々に新たな無線式ＩＣタグを装着し、前記タグ登録装置に前記新たな無線式ＩＣタグの各々に関連づける情報を入力し、該入力された情報を前記新たな無線式ＩＣタグの各々に送信して記録し、前記タグ管理装置によって、前記タグ登録装置から送信された前記無線式ＩＣタグの各々に関連づける情報を受信して記録し、前記位置情報取得装置によって、前記無線式ＩＣタグの各々の位置情報を取得し、前記タグ管理装置に送信して記録させるようにすることができる。これによって、追跡対象が複数に分かれた場合でも追跡情報の引継ぎが可能となる。
【００２１】
前記追跡方法において、前記タグ管理装置によって、該タグ管理装置に記録された情報と、前記無線式ＩＣタグに記録された情報とを比較し、両情報が相違する場合には、前記無線式ＩＣタグに記録された情報が改竄されたと判断し、該タグ管理装置に記録された情報を該無線式ＩＣタグに記録するようにすることができる。これによって、情報の改竄を防止し、商品等の品質を保証し、食品の偽造等を防止することができる。
【発明の効果】
【００２２】
本発明によれば、商品等の生産情報と流通経路の一括管理が可能で、商品等に関する情報を容易に閲覧することができ、商品等の品質を保証し、食品等の偽造を防止し、大量に流通する商品等を追跡するにあたって、容易に導入することも可能な追跡システム及び追跡方法を提供することができる。
【発明を実施するための最良の形態】
【００２３】
図１は、本発明にかかる追跡システム及び追跡方法の第１の実施の形態を示し、追跡対象となる物品は、生産地１（追跡対象１００）から加工・流通業者２（追跡対象２００）を経て、小売店３（追跡対象３００、３５０）から消費者宅４（追跡対象４００）へ渡るものとする。
【００２４】
ＩＰｖ６タグ１１０、２１０、３１０、３６０、４１０は、超小型で書き換え可能メモリを有し、バッテリまたはノンバッテリで長時間の動作を可能としたタグタイプのモジュールである。ＩＰｖ６タグは、MobileIPv6（以下、「ＭＩＰｖ６」という）機能と、無線ＬＡＮ機能を搭載し、この機能により、無線ＬＡＮ経由でＭＩＰｖ６装置５２に繋がる状態であれば、自動でＭＩＰｖ６  Care-of-Address（以下、「ＣｏＡ」という）を取得し、固定ノードとの通信を行うことができる。
【００２５】
ＩＰｖ６タグ登録装置１１、２１は、ＩＰｖ６タグ１１０、２１０に関連付ける情報の入力と、ＩＰｖ６タグ管理装置５１と、ＩＰｖ６タグ１１０、２１０へのデータ転送・書き込みを行う機能を有する。また、ＩＰｖ６タグ１１０、２１０内のデータを読み取り、ＩＰｖ６タグ１１０、２１０内に記録されているデータの表示や、ＩＰｖ６タグ１１０、２１０内のデータを使って、ＩＰｖ６タグ管理装置５１からデータを取得して表示させることができる。
【００２６】
ラベル発行装置３１は、ＩＰｖ６タグ３６０内のデータを読み取り、ＴＲＩＤラベル３７０を生成することができる。
【００２７】
ＩＰｖ６タグ読取装置３２は、ＩＰｖ６タグ３６０の内データを使って、ＩＰｖ６タグ管理装置５１からデータを取得して表示させることができる。
【００２８】
ＩＰｖ６タグ管理装置５１は、追跡対象に関する情報をＩＰｖ６アドレスや、システム固有のＩＤとともに蓄積し、検索する機能を有する。
【００２９】
ＭＩＰｖ６装置５２は、ＩＰｖ６タグのHome-of-Address（以下、「ＨｏＡ」という）とＣｏＡを関連付けるMobileIPv6 HomeAgentの機能を持つとともに、ＩＰｖ６アドレスのネットワークPrefixと、位置情報とをマッピングしたデータベースを持ち、ＩＰｖ６タグの地理的な位置情報を取得する機能を備える。
【００３０】
生産地１、加工・流通業者２、小売店３及び消費者宅４は、ＩＰｖ６で通信可能なインターネットを経由して管理センター５と接続可能となっている。
【００３１】
各地点は、位置情報を判別するために、異なるネットワークPrefixさらに生産地１、加工・流通業者２、小売店３、管理センター５は各々ＩＰｖ６通信可能な無線ＬＡＮ及び有線ＬＡＮを備え、各装置を接続している。
【００３２】
次に、上記構成を有する追跡システムの動作について、図１を中心に、図２乃至図８を参照しながら詳細に説明する。
【００３３】
図１において、生産地１で追跡対象１００にＩＰｖ６タグ１１０を取り付ける。この際、ＩＰｖ６タグ１１０は、ＩＰｖ６タグ登録装置１１から無線ＬＡＮ１００２を経由し、ＨｏＡと、ＣｏＡとを取得する（図２−ｓ１）。ＩＰｖ６タグ登録装置１１は、追跡対象１００に関する情報を入力し（図２−ｓ２）、ＬＡＮ１００３を経由して、この情報と、前記ＨｏＡ及びＣｏＡをＩＰｖ６タグ管理装置５１に送付する（図２−ｓ３、ｓ４）。
【００３４】
ＩＰｖ６タグ管理装置５１では、追跡対象に関する情報からTrace-ＩＤ（以下、「ＴＲＩＤ」という）を生成し（図３−ｓ５）、ＴＲＩＤをキーとし、追跡対象に関する情報と、ＨｏＡ、ＣｏＡを記録する。また、生成したＴＲＩＤをＬＡＮ５００１を経由してＩＰｖ６タグ登録装置１１に送信する。
【００３５】
ＩＰｖ６タグ登録装置１１は、ＩＰｖ６タグ１１０に対し、無線ＬＡＮ１００２を経由してＴＲＩＤと追跡対象情報を送信し、ＩＰｖ６タグ１１０に記録する（図２−ｓ６）。ＩＰｖ６タグ管理装置５１は、記録したＣｏＡを使ってＭＩＰｖ６装置５２から位置情報を取得し（図２−ｓ７）、経路（位置）情報として蓄積する。尚、ＩＰｖ６タグ管理装置５１がＣｏＡから位置情報を取得する詳細のフローは後述する。
【００３６】
ＩＰｖ６タグ管理装置５１が取得した位置情報は、ＩＰｖ６タグ１１０に通知され（図２−ｓ８）、ＩＰｖ６タグ１１０に記録される。次に、ＩＰｖ６タグ管理装置５１は、登録完了通知をＩＰｖ６タグ登録装置１１に送信し（図２−ｓ９）、ＩＰｖ６タグ登録装置１１の画面には、登録が完了した旨の表示がなされる。
【００３７】
図３は、ＩＰｖ６タグ管理装置５１がＭＩＰｖ６装置５２から位置情報を取得するフローを示す。ＩＰｖ６タグ１１０は、ＣｏＡを更新し（図３−ｓ１）、ＩＰｖ６タグ管理装置５１に更新したＣｏＡをＩＰｖ６タグ管理装置５１に通知する（図３−ｓ２）。ＩＰｖ６タグ管理装置５１は、ＬＡＮ５００１を介してＭＩＰｖ６装置５２に位置情報を問い合わせ（図３−ｓ３）、ネットワークPrefixをＭＩＰｖ６装置５２に送信する。ＭＩＰｖ６装置５２は、記録済みのネットワークPrefix及び位置情報リストを介して送信されたネットワークPrefixから位置情報を検索し（図３−ｓ４）、取得した位置情報をＩＰｖ６タグ管理装置５１に送信する（図３−ｓ５）。ＩＰｖ６タグ管理装置５１は、送信された経路（位置）情報を記録するとともに、ＩＰｖ６タグ１１０に通知し、ＩＰｖ６タグ１１０も送信された経路（位置）情報を記録する。
【００３８】
生産地１において発生した追跡対象１００に関する情報は、ＩＰｖ６タグ登録装置１１、またはインターネットを経由してＩＰｖ６タグ管理装置５１に接続可能な端末を使用し、図４に示す流れでＩＰｖ６タグ管理装置５１に登録する。生産過程が終了すると、追跡対象１００は、ＩＰｖ６タグ１１０を付けたまま加工・流通業者２へ出荷される。
【００３９】
上記追跡対象１００に関する情報をＩＰｖ６タグ管理装置５１に登録するフローについて、図４を参照しながら説明する。ＩＰｖ６タグ登録装置１１に追跡対象更新情報を入力し（図４−ｓ１）、ＩＰｖ６タグ管理装置５１に追跡対象更新申請を行うと（図４−ｓ２）、ＩＰｖ６タグ管理装置５１は、追跡対象更新情報を記録するとともに、更新内容を検査する（図４−ｓ３）。ＩＰｖ６タグ管理装置５１は、検査後、情報更新許可通知をＩＰｖ６タグ登録装置１１に送信し（図４−ｓ４）、ＩＰｖ６タグ登録装置１１は、情報を更新し（図４−ｓ５）、追跡対象更新情報をＩＰｖ６タグ１１０に登録する。
【００４０】
加工・流通業者２においては、ＩＰｖ６タグ２１０のＭＩＰｖ６  ＣｏＡが更新され、無線ＬＡＮ２００１を経由してＣｏＡをＩＰｖ６タグ管理装置５１に送信し、図３に示したフローによって経路（位置）情報の更新を行う。また、加工・流通業者２において発生した追跡対象２００に関する情報は、ＩＰｖ６タグ登録装置２１、またはインターネットを経由してＩＰｖ６タグ管理装置５１に接続可能な端末を使用し、図４に示したフローによってＰｖ６タグ管理装置５１に登録する。加工・流通過程が終了すると、追跡対象２００は、ＩＰｖ６タグ２１０を付けたまま小売店３へ出荷される。
【００４１】
小売店３においては、ＩＰｖ６タグ３１０は、無線ＬＡＮ３００１を経由して、ＴＲＩＤとＣｏＡをＩＰｖ６タグ管理装置５１に送信し、追跡対象３００が加工・流通業者２より小売店３へ移動したことを通知する。この点については、図２−ｓ７と同様である。小売店３では、消費者が自宅で追跡対象情報を確認しやすいようにラベルを貼り付ける。
【００４２】
図５に示すように、ラベル発行装置３１は、無線ＬＡＮ３００２を経由して、ＩＰｖ６タグ３１０からＴＲＩＤを取得する（図５−ｓ１）。ラベル発行装置３１は、ＬＡＮ３００６を経由し、ＴＲＩＤをＩＰｖ６タグ管理装置５１に送付し、ラベル発行を申請する（図５−ｓ２）。ＩＰｖ６タグ管理装置５１は、ラベル発行記録を更新し、ＬＡＮ５００１経由でラベル発行装置３１にラベル発行を許可する（図５−ｓ３、ｓ４）。ラベル発行装置３１は、ラベルを発行する（図５−ｓ５）。発行されたラベルは、追跡対象３００に添付され、販売される。
【００４３】
消費者は、小売店３において商品（追跡対象３５０）を選定する際に、図６に示すように、追跡対象３５０に付与されたＴＲＩＤラベル３７０より、追跡対象情報の概要を得ることができる。また、同じく追跡対象３５０に付与されたＩＰｖ６タグ３６０を小売店に設置のＩＰｖ６タグ読取装置３２に読み取らせることで、追跡対象情報を得ることができる。
【００４４】
小売店３において、消費者に商品（追跡対象３５０）を販売する際に、販売レジのようなところで、追跡対象３５０に付与されたＩＰｖ６タグ３６０のＴＲＩＤを、無線ＬＡＮ３００４を経由してＩＰｖ６タグ読取装置３２で読み取ることができる（図７−ｓ１）。ＩＰｖ６タグ読取装置３２は、読み取ったＴＲＩＤを、ＬＡＮ３００５経由でＩＰｖ６タグ管理装置５１に送信する（図７−ｓ２）。ＩＰｖ６タグ管理装置５１は、このＴＲＩＤを記録する（図７−ｓ３）。また、売れ残り等の理由により、追跡対象３５０に対して廃棄・返品等の処理を行う場合にも、販売する場合と同様に、追跡対象３５０に付与されたＩＰｖ６タグ３６０をＩＰｖ６タグ装置３２で読み取ることができる。
【００４５】
消費者宅４において、消費者は、購入した追跡対象４００に付与されたＴＲＩＤラベル４２０より、追跡対象情報の概要を得ることができる。また、自宅のＰＣ等からインターネット経由でＩＰｖ６タグ管理装置５１にアクセスし、ＴＲＩＤラベル４２０に書かれたＩＤを入力することで、追跡対象４００の追跡対象情報を得ることができる。また、ＩＰｖ６タグ４１０を小売店３に持参し、ＩＰｖ６タグ読取装置３２で読み取ることで、追跡対象４００の追跡対象情報を得ることができる。
【００４６】
また、ＩＰｖ６タグ１１０〜４１０と、ＩＰｖ６タグ管理装置５１は、定期的に情報検査を行うことにより、情報の改竄を無効とすることができる。ＩＰｖ６タグ及びＩＰｖ６タグ管理装置は、ＩＰｖ６タグに保存した情報が改竄されていないかを確認するため、定期的に検査要求を行う（図８−ｓ１、ｓ２）。検査要求と応答が成立した場合には、ＩＰｖ６タグ１１０〜４１０は、ＩＰｖ６タグ管理装置５１に対して、ＴＲＩＤ、経路情報、追跡対象情報を送付する（図８−ｓ３）。ＩＰｖ６タグ管理装置は、受け取ったＴＲＩＤ、経路情報、追跡対象情報と、自ら蓄積した情報とを比較検査する（図８−ｓ４）。比較検査の結果、ＩＰｖ６タグ管理装置の蓄積情報の情報更新及びＩＰｖ６タグの改竄修正を行う（図８−ｓ５）。改竄があると認められた場合には、ＩＰｖ６タグ管理装置５１で改竄を記録し（図８−ｓ６）、ＩＰｖ６タグ１１０〜４１０は、修正完了通知をＩＰｖ６タグ管理装置５１に送付する（図８−ｓ７）。
【００４７】
次に、本発明にかかる追跡システム及び追跡方法の第２の実施の形態について、図９及び図１０を参照しながら説明する。本実施形態の基本的な構成は、上記第１の実施の形態と同じであるが、本実施形態は、流通過程で追跡対象が複数に分かれる場合に対応したものである。尚、以下の説明では、図１の加工・流通業者２において追跡対象が複数に分かれる場合について記載しているが、生産地１または小売店３で追跡対象が複数に分かれる場合についても、同様の要領で追跡することができる。
【００４８】
図９において、追跡対象２００が流通過程の処理により、追跡対象２０１、２０２、２０３に分かれた場合には、ＩＰｖ６タグ２１０もＩＰｖ６タグ２１１、２１２、２１３に追跡を引き継ぐ。この処理の仕組みを具体的に記述したのが図１０である。尚、図１０において便宜上、分かれる前の追跡対象に付与するＩＰｖ６タグ２１０をＩＰｖ６タグ（旧）、分かれた後の追跡対象に付与するＩＰｖ６タグ２１１、２１２、２１３をＩＰｖ６タグ（新）と記載する。
【００４９】
まず、ＩＰｖ６タグ登録装置２１で、無線ＬＡＮ２００３を経由してＩＰｖ６タグ（旧）よりＴＲＩＤ（旧）を読み取る（図１０−ｓ１）。さらに、ＩＰｖ６タグ登録装置２１で追跡対象が分かれたことによって更新すべき情報を入力する（図１０−ｓ２）。次に、ＩＰｖ６タグ登録装置２１により、無線ＬＡＮ２００３を経由してＩＰｖ６タグ（新）のＭＩＰｖ６  ＨｏＡとＭＩＰｖ６  ＣｏＡを読み取り、先に取得したＴＲＩＤ（旧）と、追跡対象更新情報とを合わせてＬＡＮ２００４経由でＩＰｖ６タグ管理装置５１に送付する（図１０−ｓ３、ｓ４）。
【００５０】
ＩＰｖ６タグ管理装置５１は、ＴＲＩＤ（旧）と追跡対象更新情報から、ＴＲＩＤ（新）とを生成し、追跡対象更新情報と、既に蓄積されている追跡対象情報（旧）とを使って、追跡対象情報（新）を生成する。さらに、蓄積済みの経路（位置）情報（旧）を経路（位置）情報（新）とし、ＴＲＩＤ（新）と追跡対象情報（新）、経路（位置）情報（新）と、ＭＩＰｖ６  ＨｏＡ、ＭＩＰｖ６  ＣｏＡを関連付けると同時に、ＴＲＩＤ（新）、追跡対象情報（新）、経路（位置）情報（新）をＩＰｖ６タグ（新）に無線ＬＡＮ２００２経由で送付する（図１０−ｓ５）。
【００５１】
ＩＰｖ６タグ管理装置５１は、登録完了通知をＬＡＮ２００４経由でＩＰｖ６タグ登録装置２１に送信し、ＩＰｖ６タグ登録装置２１に登録完了画面が表示される（図１０−ｓ６）。この一連の処理で、分かれる前の追跡対象に付与されていた情報を分かれた後の追跡対象に引き継ぐことが可能になる。
【実施例】
【００５２】
図１１に牛肉（牛）の追跡システム及び追跡方法の構成例を示す。追跡対象は、牛及び牛肉となり、牛及び牛肉にＩＰｖ６タグを取り付けることでトレーサビリティを実現することが可能になる。基本的な動作については、本発明の第１の実施の形態と同じであるが、と畜場・食肉処理場（以下、「と畜場」と略称する）２及び小売店３において、本発明の第２の実施の形態を応用することで、牛肉の加工処理に適用している。
【００５３】
図１２に具体的なＩＰｖ６アドレッシングと、ＴＲＩＤの例について示す。尚、説明の便宜上、小売店と消費者宅に相当する箇所は省略する。
【００５４】
ＩＰｖ６ネットワークPrefixは、各々○×牧場１が“1111:2222:3333:1001”、△△と畜場２が“1111:2222:3333:2001”、管理センター５が“1111:2222:3333:0001”とする。また、追跡対象(牛）１００の個体識別番号は、“1234567890”とする。
【００５５】
まず、追跡対象（牛）１００にＩＰｖ６タグ１１０を取り付ける。ＩＰｖ６タグ１１０のＨｏＡは、“1111:2222:3333:0001:00fa:2200:b3ff:09c2”、ＣｏＡは、“1111:2222:3333:1001:a400:0011:06a1:fab2”とする。ここで、ＩＰｖ６タグ１１０は、本システムの機能によりＩＰｖ６タグ管理装置５１に登録される。
【００５６】
さらに、この追跡対象（牛）１１０に対する固有コードとして、ＴＲＩＤが生成される。本実施例において、ＴＲＩＤは追跡対象が何であるのかを識別するためのコード部分１０桁と、個体識別番号を取り込むためのコード部１６桁と、加えて追跡対象が分割された場合でも識別可能なように、６桁のコードを備える。ここでは、データレコード５０１に示される通り、”0000000001 0000001234567890 000001”というＴＲＩＤが割り当てられる。さらに、ＭＩＰｖ６装置５２の位置情報データベース５００と、ＩＰｖ６タグ１１０のＣｏＡの上位６４ビットである”1111:2222:3333:1001"より、ＩＰｖ６タグ１１０が現在○×牧場に存在していることが分かる。この情報は、ＩＰｖ６タグ管理装置５１のデータレコード５０１に記録される。
【００５７】
次に、追跡対象（牛）１００は、○×牧場１から出荷され、△△と畜場２に移動する。ここで、説明の便宜上、追跡対象（牛）１００は、追跡対象（牛）２００、ＩＰｖ６タグ１１０は、ＩＰｖ６タグ２１０とするが、物理的には同一個体である。ＩＰｖ６タグ２１０は、△△と畜場２に移動してきたことにより、ＨｏＡは変わらないが、ＣｏＡの上位６４ビットが“1111:2222:3333:2001”に変化する。これは、MobileIＰｖ６の機能によるものであり、周知の事実であるためここではその動作についての説明は省略する。
【００５８】
ＣｏＡの上位６４ビットが“1111:2222:3333:2001”に変化したことによって、ＭＩＰｖ６装置５２の位置情報データベース５００から、ＩＰｖ６タグ２１０が△△と畜場２に存在していることが分かり、この情報はデータレコード５０１に追加される。
【００５９】
次に、追跡対象（牛）２００は、と畜・食肉処理されて追跡対象（部分肉）２０１、２０２に分けられる。追跡対象（部分肉）２０１、２０２には、各々ＩＰｖ６タグ２１１、２１２が取り付けられる。ＩＰｖ６タグ２１１に関するデータレコード５０２には、ＴＲＩＤ”0000000001 0000001234567890 000002”が割り当てられ、ＩＰｖ６タグ２１０のＴＲＩＤ”0000000001 0000001234567890 000001”の情報を引き継ぐ。
【００６０】
２つのＴＲＩＤを比較すると、下６桁のみが”000001”と”000002”のように異なっており、これにより、ＩＰｖ６タグ２１１がＩＰｖ６タグ２１０から派生したものであることを判別できる。ＩＰｖ６タグ２１２についても同様である。
【００６１】
図１３に本実施例における画面表示例を示す。図１１において、消費者が小売店３でＩＰｖ６タグ読取装置３３を利用するか、もしくは消費者宅４より自身のＰＣ等を使用して検索を行うことで、図１３に示すような画面を表示させることができる。これにより、消費者が販売されている牛肉に関する情報を得ることができる。
【００６２】
尚、上記説明においては、本発明を食品等の追跡システム及び追跡方法に適用した場合について説明したが、本システムを食品・非食品に依らずあらゆる品質管理システムに適用することもでき、さらに、動物の監視・管理システム等にも適用できる。
【図面の簡単な説明】
【００６３】
【図１】本発明にかかる追跡システムの第１の実施の形態を示す全体構成図である。
【図２】図１の追跡システムの動作説明図である。
【図３】図１の追跡システムの動作説明図である。
【図４】図１の追跡システムの動作説明図である。
【図５】図１の追跡システムの動作説明図である。
【図６】図１の追跡システムの動作説明図である。
【図７】図１の追跡システムの動作説明図である。
【図８】図１の追跡システムの動作説明図である。
【図９】第２にかかる追跡システムの第２の実施の形態を示すブロック図である。
【図１０】図９の追跡システムの動作説明図である。
【図１１】本発明にかかる追跡システムの実施例として、牛肉(牛)の追跡システムを示す構成図である。
【図１２】図１１の追跡システムにおけるＩＰｖ６アドレッシングとＴＲＩＤの例を示す図である。
【図１３】図１１の追跡システムの画面例を示す図である。
【符号の説明】
【００６４】
１      生産地
２      加工・流通業者
３      小売店
４      消費者宅
５      管理センター
１１    ＩＰｖ６タグ登録装置
２１    ＩＰｖ６タグ登録装置
３１    ラベル発行装置
３２    ＩＰｖ６タグ読取装置
３３    ＩＰｖ６タグ読取装置
３４    消費者用情報閲覧装置
５１    ＩＰｖ６タグ管理装置
５２    ＭＩＰｖ６装置
１００  追跡対象
１１０  ＩＰｖ６タグ
２００  追跡対象
２０１  追跡対象
２０２  追跡対象
２０３  追跡対象
２１０  ＩＰｖ６タグ
２１１  ＩＰｖ６タグ
２１２  ＩＰｖ６タグ
２１３  ＩＰｖ６タグ
３００  追跡対象
３０１  追跡対象（食肉パック）
３０２  追跡対象（食肉パック）
３１０  ＩＰｖ６タグ
３１１  ＩＰｖ６タグ
３１２  ＩＰｖ６タグ
３２１  ＴＲＩＤラベル
３２２  ＴＲＩＤラベル
３５０  追跡対象
３６０  ＩＰｖ６タグ
３７０  ＴＲＩＤラベル
４００  追跡対象
４１０  ＩＰｖ６タグ
４２０  ＴＲＩＤラベル
５００  位置情報データベース
５０１  データレコード
５０２  データレコード
５０３  データレコード
１００１  無線ＬＡＮ
１００２  無線ＬＡＮ
１００３  ＬＡＮ
２００１  無線ＬＡＮ
２００２  無線ＬＡＮ
２００３  ＬＡＮ
２００４  ＬＡＮ
３００１  無線ＬＡＮ
３００２  無線ＬＡＮ
３００３  無線ＬＡＮ
３００４  無線ＬＡＮ
３００５  ＬＡＮ
３００６  ＬＡＮ
５００１  ＬＡＮ
【図１】
2005301556.tif 000003
【図２】
2005301556.tif 000004
【図３】
2005301556.tif 000005
【図４】
2005301556.tif 000006
【図５】
2005301556.tif 000007
【図６】
2005301556.tif 000008
【図７】
2005301556.tif 000009
【図８】
2005301556.tif 000010
【図９】
2005301556.tif 000011
【図１０】
2005301556.tif 000012
【図１１】
2005301556.tif 000013
【図１２】
2005301556.tif 000014
【図１３】
2005301556.tif 000015